(57)【要約】【課題】複数層の濾過材を確実に分離すると共に濾過材の偏りや隙間の形成を防止し、通過する水の偏流（チャンネリング）を防止し濾過材への接触時間を長くして高い浄水効果を得ることができると共に水圧の低下を防止できる濾過器を提供することを目的とする。【解決手段】本考案の濾過器１は、上部に流出管５を備え下部に流入管３を備えた筒状の容器本体２と、容器本体２の内部に層状に収容された複数層の濾過材１９ａ〜１９ｃと、複数層の濾過材１９ａ〜１９ｃを分離する複数の仕切り部と、濾過材１９ａ〜１９ｃを押圧する押圧弾性体１６と、を備えた濾過器１であって、仕切り部が、外周部が容器本体２の内壁に固定された固定仕切り部１７と、固定仕切り部１７と押圧弾性体１６の間に配設され外周部に容器本体２の内壁に密着する密着部１３を備えた複数の可動仕切り部１８ａ〜１８ｃと、を備えた構成を有する。【選択図】図１
0003119066.tif 000002
【実用新案登録請求の範囲】
【請求項１】
上部に流出管を備え下部に流入管を備えた筒状の容器本体と、前記容器本体の内部に層状に収容された複数層の濾過材と、前記複数層の濾過材を分離する複数の仕切り部と、前記濾過材を押圧する押圧弾性体と、を備えた濾過器であって、
前記仕切り部が、外周部が前記容器本体の内壁に固定された固定仕切り部と、前記固定仕切り部と前記押圧弾性体の間に配設され外周部に前記容器本体の内壁に密着する密着部を備えた複数の可動仕切り部と、を備えていることを特徴とする濾過器。
【請求項２】
前記固定仕切り部及び前記可動仕切り部が、所定部に１乃至複数の開口部又は孔部を有する支持板と、少なくとも前記支持板の開口部を覆うように前記支持板に添設された網体と、を備えていることを特徴とする請求項１に記載の濾過器。
【請求項３】
前記網体のメッシュＭが、５０メッシュ≦Ｍ≦１５０メッシュ、好ましくは７０メッシュ≦Ｍ≦１００メッシュであることを特徴とする請求項２に記載の濾過器。
【請求項４】
前記支持板が、多数の前記孔部が一定のピッチで形成された多孔支持板であることを特徴とする請求項２又は３に記載の濾過器。
【請求項５】
前記固定仕切り部及び／又は前記可動仕切り部が、前記支持板又は前記多孔支持板に形設された補強部を備えていることを特徴する請求項２乃至４の内いずれか１項に記載の濾過器。
【請求項６】
前記容器本体が上部開口部を備え、前記上部開口部に覆設された蓋体と、前記蓋体と最上部の前記可動仕切り部との間に配設された前記押圧弾性体と、を備えていることを特徴とする請求項１乃至５の内いずれか１項に記載の濾過器。
【考案の詳細な説明】
【技術分野】
【０００１】
本考案は、水道水や井戸水等を濾過材に通過させて濾過等する飲料水等の濾過器に関するものである。
【背景技術】
【０００２】
従来、容器内部に粒状のセラミックスや活性炭、種々の鉱物等の濾過材を収容し水道水や井戸水等を通過させて塩素等の不純物を吸着、濾過したりミネラルを付与したりする濾過器が用いられている。また、特殊な濾過材を用いることにより通過する水を活性化することもできるとも言われている。
【０００３】
このような濾過器としては、特許文献１に「筒状の容器本体と、容器本体の上端に連結された排出パイプと、容器本体内部に収容された濾過材と、容器本体の下端部に連結された注入パイプと、容器本体の下端を閉塞する蓋体とからなる浄水器において、前記濾過材と蓋体との間に濾過材を上方に付勢するばね体を設けた浄水器」が開示されている。
【０００４】
特許文献１の浄水器によれば、ばね体で濾過材を押圧することで、収容された濾過材の層内の隙間の発生を防止することができ、水が濾過材中を均等に通過し濾過材との十分な接触時間を持つことができ浄水効果を高めることができる。
【０００５】
【特許文献１】特開平７−２４４４７号公報
【考案の開示】
【考案が解決しようとする課題】
【０００６】
しかしながら、上記従来の技術では以下のような課題を有していた。
（１）特許文献１の浄水器では、容器本体内部に複数種の濾過材（シラスサンド４、抗菌性活性炭５、シラスサンド６）を上下に層状に収容しているが、各層が不織布で仕切られているので、ばね体による押圧力や通過する水流によって不織布が縒れたり捩れたりして容器本体内壁と不織布との間に隙間が生じ易く、濾過材が該隙間から他の層へ漏れて濾過材の層内に偏りや隙間が生じ、水が一様に通過せず浄水効果が低下するという課題を有していた。
（２）不織布に濾過材の欠片や赤錆、ゴミ等が目詰まりし、抵抗が大きくなって排出水の水圧が低下し、十分な流出水量を得られないと共に家庭内の水道管にかかる負担が大きくなり水漏れ等の原因となるという課題を有していた。
（３）濾過材の欠片やゴミ等が不織布の繊維にからまるため逆洗しても十分に除去できず蓄積し不織布の早期交換を要し管理が煩雑であるという課題を有していた。
（４）特に化学繊維で形成された不織布や中空糸膜等を用いると、これらから不純物が溶出して混入することがあり、濾過水が濁るなどの不具合や安全面の問題が生じる場合があった。
（５）ばね体を濾過材と下端の蓋体との間に設け濾過材を水の通過方向と同じ方向に押圧しているので、濾過材に通水時の水流による押圧力がかかるとばね体の押圧力が減少し隙間が生じ易く浄水効果が低下するという課題を有していた。
【０００７】
本考案は、上記従来の課題を解決するもので、複数層の濾過材を確実に分離すると共に濾過材の偏りや隙間の形成を防止し、通過する水の偏流（チャンネリング）を防止し、濾過材への接触時間を長くして高い浄水効果を得ることができると共に水圧の低下を防止できる濾過器を提供することを目的とする。
【課題を解決するための手段】
【０００８】
上記課題を解決するために本考案の濾過器は、以下の構成を有している。
本考案の請求項１に記載の濾過器は、上部に流出管を備え下部に流入管を備えた筒状の容器本体と、前記容器本体の内部に層状に収容された複数層の濾過材と、前記複数層の濾過材を分離する複数の仕切り部と、前記濾過材を押圧する押圧弾性体と、を備えた濾過器であって、前記仕切り部が、外周部が前記容器本体の内壁に固定された固定仕切り部と、前記固定仕切り部と前記押圧弾性体の間に配設され外周部に前記容器本体の内壁に密着する密着部を備えた複数の可動仕切り部と、を備えた構成を有している。
【０００９】
この構成により、以下のような作用を有する。
（１）容器本体の内壁に固定された固定仕切り部と内壁に密着する密着部を備えた可動仕切り部を備えているので、押圧弾性体の押圧力を各層の濾過材に円滑に伝達しながら複数層の濾過材を確実に分離することができ、押圧により層内の濾過材同士を密着させ濾過材の偏りや隙間の形成を防止し、通過する水の偏流（チャンネリング）を防止し、濾過材への接触時間を長くして高い浄水効果を得ることができる。
【００１０】
ここで、容器本体としては、ステンレス鋼等の耐腐食性金属等で形成された円筒状等の筒状部の上部又は下部に鏡板等からなる天面部や底部が溶接等で固定されたものが用いられる。前記天面部又は底部の反対側には開口部が形成され該開口部には鏡板等からなる上蓋体や下蓋体が覆設される。底部や下蓋体には容器本体を立設して設置するための台部を溶接等で固定することができる。
固定仕切り部や可動仕切り部としては、所定部に開口部を有する金属製や合成樹脂製等の支持板に金網等の網体が添設されたものやパンチングメタル等の多孔支持板、或いは該多孔支持板に網体等が添設されたもの等が用いられる。
密着部としては、可動仕切り部の外周部に嵌合される断面略Ｕ字状に形成されたパッキンやシール等が用いられる。材質としては食品包装容器のパッキン等に用いられるフッ素ゴムやシリコンゴム、トウモロコシ等を原料とする生分解性プラスチック等が用いられる。塩素等の有害物質を含まない材質で形成することにより安全性に優れる。
濾過材としては、流入する水道水や井戸水等の水質等に応じて、ヤシガラ等を材料とする破砕状の活性炭や粒状のセラミックス、種々の鉱物、強磁性体等が用いられる。濾過材は上記のような粒状物等が種類毎或いは粒径毎に可動仕切り部で分離され押圧弾性体と固定仕切り部との間に層状に収容される。
押圧弾性体としては、コイルばねや板ばね等が用いられる。押圧弾性体は容器本体内部の上部に配設され流入管側へ向かって濾過材を押圧してもよく、容器本体内部の下部に配設され流出管側へ向かって濾過材を押圧してもよい。
【００１１】
本考案の請求項２に記載の考案は、請求項１に記載の濾過器であって、前記固定仕切り部及び前記可動仕切り部が、所定部に１乃至複数の開口部又は孔部を有する支持板と、少なくとも前記支持板の開口部を覆うように前記支持板に添設された網体と、を備えた構成を有している。
【００１２】
この構成により、請求項１の作用に加え、以下のような作用を有する。
（１）網体を備えているので、捕捉された濾過材の欠片やゴミ等を逆洗により除去することができ、一定期間毎に逆洗を行うことで目詰まりによる水圧の低下を防止でき、常に十分な流出水量を得ることができ、家庭内の水道管等への負担を低減できる。
（２）網体を支持する支持板を備えているので、押圧弾性体による押圧力や通過する水流によって網体が縒れたり捩れたりすることによる濾過材の偏りや隙間の形成を防止し、通過する水の偏流を防止し、濾過材への接触時間を長くして高い浄水効果を得ることができる。
【００１３】
ここで、網体としては、金属や合成樹脂等の線材を網状に組み合わせた金網やメッシュ体等が用いられる。網体は支持板にその外周部で溶接等で固定され、又は、支持板に形成された複数の鉤状部からなる係合部に係合され、支持板に添設固定される。また、固定手段を設けずに網体を単に支持板に当接させるだけでもよい。
支持板としては、中心部から外周部に向かって延設された複数の延設部を有する略十字状や略米字状等に形成された枠部と、該枠部により区画形成された複数の開口部を有するものや上述した多孔支持板等が用いられる。なお、可動仕切り部の支持板の外周部には上述した密着部を配設することができる。
【００１４】
本考案の請求項３に記載の考案は、請求項２に記載の濾過器であって、前記網体のメッシュＭが、５０メッシュ≦Ｍ≦１５０メッシュ、好ましくは７０メッシュ≦Ｍ≦１００メッシュである構成を有している。
【００１５】
この構成により、請求項２の作用に加え、以下のような作用を有する。
（１）網体により濾過材の欠片やゴミ、錆等を確実を捕捉することができ、且つ、抵抗が大きくなるのを防止でき水圧の低下を防止でき、常に十分な流出水量を得ることができ、家庭内の水道管への負担を低減できる。
【００１６】
ここで、網体のメッシュＭが７０メッシュより小さくなるにつれ濾過材の欠片やゴミ、錆等が通過し易くなり浄水効果が低下し５０メッシュより小さくなるとこの傾向が顕著になるため好ましくない。メッシュＭが１００メッシュより大きくなるにつれ通過する水が受ける抵抗が大きくなり水圧が低下して流出水量が低下し１５０メッシュより大きくなるとこの傾向が顕著になるため好ましくない。
【００１７】
本考案の請求項４に記載の考案は、請求項２又は３に記載の濾過器であって、前記支持板が、多数の前記孔部が一定のピッチで形成された多孔支持板である構成を有している。
【００１８】
この構成により、請求項２又は３の作用に加え、以下のような作用を有する。
（１）多数の孔部が一定のピッチで形成された多孔支持板を備えているので、通過する水を整流して濾過材に対して一様に通過させることができ、濾過材への接触時間を長くして水圧を低下させることなく高い浄水効果を得ることができる。
【００１９】
ここで、多孔支持板としては、多数の孔部が打ち抜き加工されたパンチングメタル等の金属板や合成樹脂製の多孔板等が用いられる。孔部の形状としては、円形状、多角形状、長孔状等が用いられる。孔部が円形状である場合、その孔径は１ｍｍ〜１０ｍｍ程度に形成される。孔部の配列としては孔部が均一に配置される配列、例えば縦横に直線状に並設された並列状や千鳥状等が用いられる。孔部のピッチは孔径や形状と併せて所定の開孔率となるように適宜選択される。
多孔支持板の開孔率Ｋとしては、４０％≦Ｋ≦８０％、好ましくは５５％≦Ｋ≦７０％に形成される。開孔率Ｋが５５％より小さくなるにつれ通過する水が受ける抵抗が大きくなり水圧が低下して流出水量が低下し４０％より小さくなるとこの傾向が顕著になるため好ましくない。開孔率Ｋが７０％より大きくなるにつれ多孔支持板の整流作用が低下すると共に打ち抜き加工が困難になったり所定の強度が得られなくなり８０％より大きくなるとこの傾向が顕著になるため好ましくない。
多孔支持板には網体が溶接等で固定され又は複数の鉤状部等で係合固定される。また、固定手段を設けずに網体を単に多孔支持板に当接させるだけでもよい。
【００２０】
本考案の請求項５に記載の考案は、請求項２乃至４の内いずれか１項に記載の濾過器であって、前記固定仕切り部及び／又は前記可動仕切り部が、前記支持板又は前記多孔支持板に形設された補強部を備え構成を有している。
【００２１】
この構成により、請求項２乃至４の内いずれか１項の作用に加え、以下のような作用を有する。
（１）補強部を備えているので、固定仕切り部や可動仕切り部が押圧弾性体の押圧力や通過する水流によって撓んだり変形したりするのを防止でき、濾過材の偏りや隙間の形成を防止することができる。
【００２２】
ここで、補強部としては、支持板の枠部や外周部等に立設されたリブや肉厚部等が用いられる。
【００２３】
本考案の請求項６に記載の考案は、請求項１乃至５の内いずれか１項に記載の濾過器であって、前記容器本体が上部開口部を備え、前記上部開口部に覆設された蓋体と、前記蓋体と最上部の前記可動仕切り部との間に配設された前記押圧弾性体と、を備えた構成を有している。
【００２４】
この構成により、請求項１乃至５の内いずれか１項の作用に加え、以下のような作用を有する。
（１）押圧弾性体を蓋体と最上部の可動仕切り部との間に設け、最下部の固定仕切り部に向かって濾過材を水の通過方向と逆の方向に押圧しているので、濾過材に通水による押圧力がかかっても押圧弾性体が緩むことなく、濾過材の層内に偏りや隙間が生じるのを防止でき、水を濾過材の層内に一様に通過させることができ、濾過材への接触時間を長くして高い浄水効果を得ることができる。
【００２５】
ここで、押圧弾性体は蓋体の内壁に溶接等で固定される、又は、蓋体の下部開口部に覆設された所定部に開口部や孔部を有する支持板や多孔支持板等に溶接等で固定される。また、蓋体の内部の中央部等に押圧弾性体を装着する凹部を設け、該凹部に装着してもよい。これにより、押圧弾性体の位置ずれを防止でき、濾過材を常に均等に押圧することができる。
【考案の効果】
【００２６】
以上説明したように本考案によれば、以下のような有利な効果が得られる。
請求項１に記載の考案によれば、
（１）容器本体の内壁に固定された固定仕切り部と内壁に密着する密着部を備えた可動仕切り部を備えているので、押圧弾性体の押圧力を各層の濾過材に円滑に伝達しながら複数層の濾過材を確実に分離することができ、押圧により層内の濾過材同士を密着させ濾過材の偏りや隙間の形成を防止し、通過する水のチャンネリングを防止し、濾過材への接触時間を長くして高い浄水効果を得ることができる濾過器を提供することができる。
【００２７】
請求項２に記載の考案によれば、請求項１の効果に加え、
（１）網体を備えているので、捕捉された濾過材の欠片やゴミ等を逆洗により除去することができ、常に十分な水量を得ることができ、家庭内の水道管等への負担を低減できる濾過器を提供することができる。
（２）網体を支持する支持板を備えているので、網体が縒れたり捩れたりすることによる濾過材の偏りや隙間の形成を防止し、通過する水の偏流を防止し、濾過材への接触時間を長くして高い浄水効果を得ることができる濾過器を提供することができる。
【００２８】
請求項３に記載の考案によれば、請求項２の効果に加え、
（１）網体により濾過材の欠片やゴミ、錆等を確実を捕捉することができ、且つ、抵抗が大きくなるのを防止でき水圧の低下を防止でき、常に十分な水量を得ることができ、家庭内の水道管への負担を低減できる濾過器を提供することができる。
【００２９】
請求項４に記載の考案によれば、請求項２又は３の効果に加え、
（１）多数の孔部が一定のピッチで形成された多孔支持板を備えているので、通過する水を整流して濾過材に対して一様に通過させることができ、濾過材への接触時間を長くして水圧を低下させることなく高い浄水効果を得ることができる濾過器を提供することができる。
【００３０】
請求項５に記載の考案によれば、請求項２乃至４の内いずれか１項の効果に加え、
（１）補強部を備えているので、固定仕切り部や可動仕切り部が撓んだり変形したりするのを防止でき、濾過材の偏りや隙間の形成を防止することができる濾過器を提供することができる。
【００３１】
請求項６に記載の考案によれば、請求項１乃至５の内いずれか１項の効果に加え、
（１）濾過材を水の通過方向と逆の方向に押圧しているので、濾過材に通水による押圧力がかかっても押圧弾性体が緩むことなく、濾過材の層内に偏りや隙間が生じるのを防止でき、水を濾過材の層内に一様に通過させることができ、濾過材への接触時間を長くして高い浄水効果を得ることができる濾過器を提供することができる。
【考案を実施するための最良の形態】
【００３２】
以下、本考案の一実施の形態について、図１乃至図５を用いて説明する。
（実施の形態１）
図１は本実施の形態１における濾過器の分解断面図であり、図２は図１のＡ−Ａ線の矢視断面図であり、図３（ａ）は図１のＢ−Ｂ線の矢視断面図であり、図３（ｂ）は図１のＣ−Ｃ線の矢視断面図である。なお、説明をわかり易くするために、図２、図３（ａ）及び（ｂ）においては支持板と金網の一部を破断して示している。
図中、１は本実施の形態１における濾過器、２はステンレス鋼等の耐腐食性金属等で形成された容器本体、２ａは容器本体２を構成する円筒状の筒状部、２ｂは筒状部２ａの下部に溶接等で覆設固定された鏡板からなる底部、３は底部２ｂの側面に溶接等で固定され略中央部まで延設された管状体で形成され内部側端部が閉塞された流入管、３ａは家庭の蛇口や水道管等にホースや金属管等の管体を介して接続される流入管３の外部側端部に形成された流入口、３ｂは流入管３の内部側端部近傍の下部に下方に向けて開口され容器本体２の中心軸上に形成された内部流入口、４は容器本体２の上部開口部２ｃに覆設される容器本体２と同材質の鏡板からなる蓋体、５は蓋体４の側面に溶接等で固定され蓋体４内部に連通した流出管、５ａは流出管５の外部側端部に形成された流出口、６は蓋体４の下縁部に溶接等で覆設固定された所定部に後述する開口部を有する蓋側支持板、７は蓋側支持板６と一体に形成され蓋体４の下縁部の周囲に突設された蓋側フランジ部、８は容器本体２の上部開口部２ｃの周囲に突設された本体側フランジ部、９は蓋側フランジ部７及び本体側フランジ部８に互いに連通するように等間隔で穿設された複数のボルト挿通孔、１０は本体側フランジ部８の上面に形成された凹部８ａに配設されたＯリングである。
【００３３】
また、図中、１１は容器本体２の底部２ｂの近傍であって流入管３の上部に配設され筒状部２ａの内壁に溶接等で固定された所定部に後述する開口部を有する固定支持板、１２ａ，１２ｂ，１２ｃは容器本体２内部の上部開口部２ｃから固定支持板１１の間に配設された後述の多孔支持板１５に金網１４を添設して形成された可動板、１３は可動板１２ａ，１２ｂ，１２ｃの外周部に嵌合され容器本体２の内壁に密着するシリコンゴム等の略Ｕ字状弾性体等からなる密着部、１４，１５は可動板１２ａ，１２ｂ，１２ｃを構成する金網（網体）及びパンチングメタル等の多孔支持板であり、金網１４は多孔支持板１５に外周部で溶接等により固定されている。１４′，１５′は蓋側支持板６の上面及び固定支持板１１の下面に少なくとも開口部を覆うように順次添設され外周部で溶接等により各支持板に固定された金網（網体）及び多孔支持板であり、金網１４と多孔支持板１５と同様のものである。１６は最上部の可動板１２ａの下面略中央部に溶接等により固定されたコイルばね等の押圧弾性体、１７は固定支持板１１とその下面に添設された金網１４′及び多孔支持板１５′で構成された固定仕切り部、１８ａ，１８ｂ，１８ｃは可動板１２ａ，１２ｂ，１２ｃと密着部１３で各々構成された第１，第２，第３の可動仕切り部、１９ａ，１９ｂ，１９ｃは第１の可動仕切り部１８ａと第２の可動仕切り部１８ｂの間、第２の可動仕切り部１８ｂと第３の可動仕切り部１８ｃの間、及び第３の可動仕切り部１８ｃと固定仕切り部１７との間に各々収容された濾過材である。
【００３４】
また、図２及び図３において、２０は蓋側支持板６及び固定支持板１１の所定部に形成された複数の開口部、２１は蓋側支持板６及び固定支持板１１の中心部から外周部に向かって延設された４つの延設部２１ａを有する略十字状に形成された枠部である。
【００３５】
ここで、容器本体２は外径が１００ｍｍ〜２００ｍｍ、高さが３００ｍｍ〜４００ｍｍ（蓋体４を含む）の円筒状に形成され、台所の流し台上等に設置可能な小型に設計されている。金網１４，１４′はステンレス鋼等の金属線を網状に組み合わせて形成され、そのメッシュＭは５０メッシュ≦Ｍ≦１５０メッシュ、好ましくは７０メッシュ≦Ｍ≦１００メッシュに形成される。本実施の形態１においては、８０メッシュ（目開き：１６６μｍ〜１８８μｍ）のものを用いた。多孔支持板１５，１５′は厚みが１ｍｍ〜３ｍｍのステンレス鋼等の金属板に孔径５ｍｍ及びピッチ６ｍｍで円形状の孔を千鳥状に打ち抜き加工して形成され、その開口率Ｋが４０％≦Ｋ≦８０％、好ましくは５５％≦Ｋ≦７０％に形成される。本実施の形態１においては６３％程度のものを用いた。
濾過材１９ａ，１９ｂ，１９ｃとしては、流入する水道水や井戸水等の水質等に応じて、ヤシガラ等を材料とする破砕状の活性炭や粒状のセラミックス、種々の鉱物、強磁性体等が用いられる。本実施の形態１においては、濾過材１９ａとして径が５ｍｍ〜１０ｍｍ程度の多数のセラミックス粒状物を用い、濾過材１９ｂとしてヤシガラの活性炭は破砕物を用い、濾過材１９ｃとして径が１ｍｍ〜５ｍｍ程度の多数のセラミックス粒状物を用いた。
【００３６】
以上のように構成された本実施の形態１における濾過器１について、以下その動作を図１乃至図４を用いて説明する。
図４は濾過器１を組み立てた状態を示す要部断面図であり、図５は濾過器１への配管の接続状態を示す系統図である。
図４において、２２は蓋側フランジ部７と本体側フランジ部８のボルト挿通孔９に連挿されたボルト、２３はボルト２２に螺着され蓋体４を容器本体２に締結固定するナットである。また、図５において、２４は家庭内の水道管や蛇口と濾過器１の流入管や流出管を接続する所定部に分岐部を有する配管、２５ａ，２５ｂ，２５ｃは配管２４に配設された三方切替弁である。
まず、濾過器１の組み立て動作について説明する。図１に示すように容器本体２の内部の固定仕切り部１７上に濾過材１９ａ〜１９ｃと第１乃至第３の可動仕切り部１８ａ〜１９ｂとを交互に層状に配設した後、蓋体４を容器本体２の上部開口部２ｃに覆設し、押圧弾性体１６の上端部を蓋側支持板６の枠部２１の交差部（中心部）に当接させる。次に、図４に示すように各々のボルト挿通孔９にボルト２２を挿通させ均等にナット２３で締結し、蓋体４を容器本体２に固定し、容器本体２をＯリング１０で密封する。このとき、濾過材１９ａ〜１９ｃは押圧弾性体１６により第１乃至第３の可動仕切り部１８ａ〜１９ｂを介して固定仕切り部１７に押圧され、ナット２３の締結によりその状態が維持される。
なお、濾過材１９ａ〜１９ｃの交換時には、ボルト２２及びナット２３を緩めて蓋体４を取り外し、容器本体２の内部の第１乃至第３の可動仕切り部１８ａ〜１８ｃと濾過材１９ａ〜１９ｃとを順次取り出す。第１乃至第３の可動仕切り部１８ａ〜１８ｃは先端に鉤状部を有する棒状部材等を用いて多孔支持板１５の孔に鉤状部を引っ掛けて取り出すことができる。多孔支持板１５の上面の外周部近傍等につまみ（図示せず）を設け、手で摘んで取り出し可能とすると交換作業性を向上できる。
【００３７】
次に、濾過器１の浄水動作について説明する。
図５に示すように、水道管からの水道水が実線の矢印で示すように配管２４を通って濾過器１に供給され濾過器１から蛇口に供給されるように、各三方切換弁２５ａ〜２５ｃを所定方向に切り換える。そして、蛇口を開栓すると、水道水が三方切換弁２５ｂ，２５ｃを通って流入管３から濾過器１に流入する。流入した水道水は、図１に示すように、内部流入口３ｂから底部２ｂに流入し、底部２ｂが水で充満すると固定仕切り部１７、第３の濾過材１９ｃ、第３の可動仕切り部１８ｃ、第２の濾過材１９ｂ、第２の可動仕切り部１８ｂ、第１の濾過材１９ａ、第１の可動仕切り部１８ａを順次通過しながら容器本体２の内部を上昇する。固定仕切り部１７及び可動仕切り部１８ａ〜１８ｃにおいては、金網１４，１４′及び多孔支持板１５，１５′を順次通過する。金網１４により比較的大きなゴミや錆等が除去される。また、多孔支持板１５，１５′により通過する水が整流され濾過材１９ａ〜１９ｃ中を偏りなく一様に通過する。濾過材１９ａ〜１９ｃにおいては、通過する水がセラミックス粒状物や活性炭の表面に接触すると、水に含まれる塩素等の不純物を吸着除去し、セラミックスから溶出したミネラルを付与する。不純物を取り除くので腐り難く健康に適した飲料水を得ることができると共に、セラミックスの種類によっては水に界面活性作用を付与できるので、食器や衣類の洗浄に用いた場合に高い洗浄力を有し、少量の洗剤で十分に汚れを落とすことができ、環境汚染を防止できる。
濾過材１９ａ〜１９ｃを通過し浄化された水は、蓋体４の多孔支持板１５′、金網１４′を通過し蓋体４の内部を介して流出管５から濾過器１の外部へ流出し、流出した浄化水は三方切換弁２５ａを通って蛇口から供給される。
【００３８】
次に、濾過器１の逆洗動作について説明する。
図５に示すように、水道管からの水道水が破線の矢印で示すように配管２４を通って濾過器１に供給された後、排水されるように、各三方切換弁２５ａ〜２５ｃを所定方向に切り換える。そして、蛇口を開栓すると、水道水が三方切換弁２５ｂ，２５ａを通って流出管５から濾過器１に流入する。流入した水道水は、蓋部４の内部から多孔支持板１５、金網１４を順次通過して流下し、第１の可動仕切り部１８ａ、第１の濾過材１９ａ、第２の可動仕切り部１８ｂ、第２の濾過材１９ｂ、第３の可動仕切り部１８ｃ、第３の濾過材１９ｃ、固定仕切り部１７を順次通過する。固定仕切り部１７及び可動仕切り部１８ａ〜１８ｃにおいては、多孔支持板１５′、金網１４′を順次通過し、金網１４に付着したゴミや錆等を剥離除去する。固定仕切り部１７を通過した水は底部２ｂから内部流入口３ｂを介して流入管３から濾過器１の外部へ流出し、流出した水は三方切換弁２５ｃを通って排水される。
【００３９】
以上のように本実施の形態１における濾過器１は構成されているので、以下のような作用を有する。
（１）容器本体２の内壁に固定された固定仕切り部１７と内壁に密着する密着部１３を備えた第１乃至第３の可動仕切り部１８ａ〜１８ｂを備えているので、押圧弾性体１６の押圧力を各層の濾過材１９ａ〜１９ｃに円滑に伝達しながら複数層の濾過材１９ａ〜１９ｃを確実に分離することができ、濾過材１９ａ〜１９ｃの層内に偏りや隙間が生じることなく通過する水の偏流（チャンネリング）を防止し、水を濾過材１９ａ〜１９ｃの層内に一様に通過させることができ、濾過材１９ａ〜１９ｃへの接触時間を長くして高い浄水効果を得ることができる。
（２）濾過材１９ａ〜１９ｃの粒状物や破砕状物が押圧弾性体１６の押圧力で互いに密着しているので水流等の外力によっても粒状物等が移動することなく、チャンネリングを確実に防止できると共に衝突により磨耗したり砕けたりするのを防止でき、磨耗等により生じた微細な粒子や欠片が濾過水に混入するのを確実に防止でき、常に清浄な飲料水等を供給できる。
（３）金網１４，１４′を備えているので、捕捉された濾過材１９ａ〜１９ｃの欠片やゴミ等を逆洗により除去することができ、一定期間毎に逆洗を行うことで目詰まりによる水圧の低下を防止でき、常に十分な流出水量を得ることができ、家庭内の水道管への負担を低減できる。また、不織布を用いた場合に比べ、目詰まりが発生し難いため頻繁に逆洗を行う必要がなく、且つ短時間の逆洗でゴミ等を十分除去でき管理性に優れる。
（４）金網１４，１４′を支持する多孔支持板１５，１５′や固定支持板１１を備えているので、押圧弾性体１６による押圧力や通過する水流によって金網１４が縒れたり捩れたりして隙間が生じ濾過材１９ａ〜１９ｃが該隙間から他の層へ漏れて濾過材１９ａ〜１９ｂの層内に偏りや隙間が生じるのを防止でき、高い浄水効果を得ることができる。
（５）金網１４のメッシュＭが５０メッシュ≦Ｍ≦１５０メッシュ、好ましくは７０メッシュ≦Ｍ≦１００メッシュに形成されているので、濾過材１９ａ〜１９ｃの欠片やゴミ、錆等を確実を捕捉することができ、且つ、抵抗が大きくなるのを防止でき水圧の低下を防止でき、常に十分な流出水量を得ることができ、家庭内の水道管への負担を低減できる。
（６）多数の孔部が一定のピッチで形成された多孔支持板１５，１５′を備えているので、通過する水を整流して濾過材の層内に一様に通過させることができ、濾過材への接触時間を長くして高い浄水効果を得ることができる。
（７）多孔支持板１５，１５′の開口率Ｋが４０％≦Ｋ≦８０％、好ましくは５５％≦Ｋ≦７０％に形成されているので、多孔支持板１５，１５′により通過する水を濾過材１９ａ〜１９ｃの層内に一様に通過させるように整流することができ、且つ、抵抗が大きくなるのを防止でき水圧の低下を防止でき、常に十分な流出水量を得ることができ、家庭内の水道管への負担を低減できる。
（８）押圧弾性体１６を蓋体４と最上部の第１の可動仕切り部１８ａとの間に設け、最下部の固定仕切り部１７に向かって濾過材１９ａ〜１９ｃを水の通過方向と逆の方向に押圧しているので、濾過材１９ａ〜１９ｃに通水による押圧力がかかっても押圧弾性体１６が緩むことなく、濾過材１９ａ〜１９ｃの層内に偏りや隙間が生じるのを防止でき、水を濾過材１９ａ〜１９ｃの層内に一様に通過させることができ、濾過材への接触時間を長くして高い浄水効果を得ることができる。
（９）一端部に流入口３ａを備え容器本体２の底部２ｂの側面から内部に延設された流入管３と、流入管３の他端部近傍の下部に下方に向けて開口され容器本体２の中心軸上に形成された内部流入口３ｂと、を備えているので、内部流入口３ｂから流入する水が底部２ｂ内部に充満し、上昇して第１乃至第３の濾過材１９ａ〜１９ｃの層内に一様に通過するので、濾過材１９ａ〜１９ｃへの接触時間を長くして高い浄水効果を得ることができる。
【００４０】
（実施の形態２）
図６は本実施の形態２における濾過器の断面図であり、図７（ａ）は図６のＤ−Ｄ線の矢視断面図であり、図７（ｂ）は図６のＥ−Ｅ線の矢視断面図であり、図８は図６のＦ−Ｆ線の矢視断面図である。
図中、３１は本実施の形態２における濾過器であり、外径が２００ｍｍ〜２５０ｍｍ、高さが５００ｍｍ〜７００ｍｍの円筒状に形成され、実施の形態１より大型に設計されている。３２は筒状部３２ａと底部３２ｂとで構成された容器本体、３３は一端部が底部３２ｂの底面中央部に形成された内部流入口３３ａに接続された流入管、３４は内部流入口３３ａに覆設された筒状の側面部３４ａと天面部３４ｂとを備えた覆設部、３４ｃは覆設部３４の側面部３４ａに等間隔で形成された複数の孔部、３５は容器本体３２の底部３２ｂに溶接等で固定され容器本体３２を立設して設置するための支持台部、３５ａは支持台部３５の脚部に穿設されたアンカーボルト挿通孔、３６は容器本体３２の底部３２ｂの近傍であって覆設部３４の上部に配設され筒状部３２ａの内壁に溶接等で固定された所定部に開口部２９（図８参照）を有する固定支持板、３７は固定支持板３６とその上面に添設された金網１４′及び多孔支持板１５′で構成された固定仕切り部、３８は固定支持板３６の下面に枠部２１（図８参照）に立設された補強部、３９は容器本体３２内部の蓋側支持板６から固定支持板３６の間に配設された所定部に開口部２０（図７（ｂ）参照）を有する複数の可動支持板、４０は可動支持板３９の外周部に嵌合された密着部、４１は可動支持板３９とその下面に添設された金網１４及び多孔支持板１５、並びに密着部４０で構成された可動仕切り部、４２は容器本体３２の上部開口部に覆設された蓋体、４３は蓋体４２の天面中央部に固定された流出管である。
なお、実施の形態１において説明したものと同様のものは同一の符号を付けて説明を省略する。また、１６ａ〜１６ｃは押圧弾性体であり、実施の形態１において説明した押圧弾性体１６と同様のものを蓋側支持板６と最上部の可動仕切り部４１との間に正三角形状に複数配置したものである。１９は容器本体３２の内部に各々の可動仕切り部４１で分離されて４層収容された濾過材である。
【００４１】
以上のように構成された実施の形態２における濾過器が実施の形態１と異なる点は、３つの押圧弾性体１６ａ〜１６ｃを備えた点、可動仕切り部４１が可動支持板３９を備えている点、容器本体３２が大型に設計され濾過材１９を４層収容した点、流入管３３が底部３２ｂの底面中央部の内部流入口３３ａに接続され、内部流入口３３ａを覆う覆設部３４を備えた点、支持台部３５を備えた点、及び固定支持板３６が補強部３８を備えた点である。この相異により、実施の形態１の作用に加え、以下のような作用を有する。
（１）複数の押圧弾性体１６ａ〜１６ｃが正三角形状に配置され、中心に対して均等に配置されているので、容器本体３２が大型に設計されその断面積が大きい場合であっても可動仕切り部１８及び濾過材１９を均一に押圧でき、濾過材１９の層内における偏りや隙間の発生を確実に防止でき高い浄水効果を得ることができる。
（２）可動仕切り部４１が可動支持板３９を備えているので、可動仕切り部４１の強度を高め、押圧弾性体１６ａ〜１６ｃによる押圧力や通過する水流によって金網１４や多孔支持板が撓んだり変形したりするのを防止でき、濾過材１９の層内に偏りや隙間が生じるのを確実に防止でき浄水効果の低下を防止できる。
（３）容器本体３２を大型に設計し特に外径を大きくすることで処理流量を高めることができると共に、高さを高くすることで各々種類の異なる又は同一の多数層の濾過材１９を収容することができ浄水効果を高めることができる。
（４）可動仕切り部４１を追加するだけで濾過材層の数を適宜増減させることができ、処理する水の水質等に応じた処理を簡単に行うことができる。
（５）覆設部３４を備えているので、流入管３３から流入した水が孔部３４ｃから底部３２ｂの内部に放射状に均等に流入するので、流入する水が底部内部に充満し、上昇して濾過材の層内を一様に通過するので、濾過材への接触時間を長くして高い浄水効果を得ることができる。
（６）支持台部３５を備えているので、容器本体３２を所望の場所に立設してアンカーボルトで強固に固定して設置できる。
（７）固定仕切り部１８が固定支持板３６に形設されたリブ状の補強部３８を備えているので、多数層の濾過材１９を収容した場合であってもその重量及び押圧弾性体１６の押圧力を支持でき、固定支持板３６が撓んだり変形したりするのを防止でき、濾過材１９の層内に偏りや隙間が生じるのを防止でき浄水効果の低下を防止できる。
【産業上の利用可能性】
【００４２】
以上説明したように、本考案は、水道水や井戸水等を濾過材に通過させて濾過等する濾過器に関し、特に本考案によれば、複数層の濾過材を確実に分離すると共に濾過材の偏りや隙間の形成を防止し、通過する水の偏流（チャンネリング）を防止し、濾過材への接触時間を長くして高い浄水効果を得ることができると共に水圧の低下を防止できる濾過器を提供することができる。
【図面の簡単な説明】
【００４３】
【図１】実施の形態１における濾過器の分解断面図
【図２】図１のＡ−Ａ線の矢視断面図
【図３】（ａ）図１のＢ−Ｂ線の矢視断面図（ｂ）図１のＣ−Ｃ線の矢視断面図
【図４】濾過器を組み立てた状態を示す要部断面図
【図５】濾過器への配管の接続状態を示す系統図
【図６】実施の形態２における濾過器の断面図
【図７】（ａ）図６のＤ−Ｄ線の矢視断面図（ｂ）図６のＥ−Ｅ線の矢視断面図
【図８】図６のＦ−Ｆ線の矢視断面図
【符号の説明】
【００４４】
１  濾過器
２  容器本体
２ａ  筒状部
２ｂ  底部
２ｃ  上部開口部
３  流入管
３ａ  流入口
３ｂ  内部流入口
４  蓋体
５  流出管
５ａ  流出口
６  蓋側支持板
７  蓋側フランジ部
８  本体側フランジ部
８ａ  凹部
９  ボルト挿通孔
１０  Ｏリング
１１  固定支持板
１２ａ，１２ｂ，１２ｃ  可動板
１３  密着部
１４，１４′  金網（網体）
１５，１５′  多孔支持板
１６，１６ａ，１６ｂ，１６ｃ  押圧弾性体
１７  固定仕切り部
１８  可動仕切り部
１８ａ  第１の可動仕切り部
１８ｂ  第２の可動仕切り部
１８ｃ  第３の可動仕切り部
１９，１９ａ，１９ｂ，１９ｃ  濾過材
２０  開口部
２１  枠部
２１ａ  延設部
２２  ボルト
２３  ナット
２４  配管
２５ａ，２５ｂ，２５ｃ  三方切替弁
３１  濾過器
３２  容器本体
３２ａ  筒状部
３２ｂ  底部
３３  流入管
３３ａ  内部流入口
３４  覆設部
３４ａ  側面部
３４ｂ  天面部
３４ｃ  孔部
３５  支持台部
３５ａ  アンカーボルト挿通孔
３６  固定支持板
３７  固定仕切り部
３８  補強部
３９  可動支持板
４０  密着部
４１  可動仕切り部
４２  蓋体
４３  流出管
【図１】
0003119066.tif 000003
【図２】
0003119066.tif 000004
【図３】
0003119066.tif 000005
【図４】
0003119066.tif 000006
【図５】
0003119066.tif 000007
【図６】
0003119066.tif 000008
【図７】
0003119066.tif 000009
【図８】
0003119066.tif 000010